(57)【要約】【課題】不用意な衝撃が加わっても集塵装置の閉状態を確実に保持固定し、清潔性を保つことができる集塵装置を提供すること。【解決手段】塵埃を捕集する集塵ケース８と、集塵ケース８上方に回動自在に取着されたフィルター部１７と、フィルター部１７の閉状態を解除する操作部１２ｂと、フィルター部１７の閉状態を保持固定する係止部１１を備えた集塵装置７において、係止部１１を集塵ケース８の左右両側面の下方に、操作部１２ｂの動作に連動してフィルター部１７の開方向に対し略垂直方向に摺動するよう設け、フィルター部１７の開方向における係止部１１の位置を規制する位置規制部１１ａを係止部１１の上下に一体的に形成した。【選択図】図３
2010035786.tif 000002
【特許請求の範囲】
【請求項１】
前方に吸入口、後方に開口部を有した集塵ケースと、前記集塵ケース上方に回動自在に取着され、前記開口部を開閉自在に覆うフィルター部と、前記フィルター部に設けた被係止部と、前記集塵ケースに設け、前記被係止部と勘合して前記フィルター部の閉状態を保持固定する係止部と、前記係止部と前記被係止部の嵌合を解除する操作部を備えた集塵装置において、前記係止部は、前記集塵ケースの左右両側面の下方に、前記操作部の動作に連動してフィルター部の開方向に対し略垂直方向に摺動するように設けると共に、前記フィルター部の開方向における前記係止部の位置を規制する位置規制部を前記係止部の上下に一体的に形成した集塵装置。
【請求項２】
上側の位置規制部は操作部の動作を係止部に伝達するアーム部により位置規制され、下側の位置規制部は集塵ケースにより位置規制される構成とした請求項１に記載の集塵装置。
【請求項３】
係止部を集塵ケースより飛び出さない位置に設けた請求項１又は２に記載の集塵装置。
【請求項４】
係止部を左右対称形状で形成した請求項１〜３のいずれか１項に記載の集塵装置。
【請求項５】
請求項１〜４のいずれか１項に記載の集塵装置を備えた電気掃除機。
【発明の詳細な説明】
【技術分野】
【０００１】
本発明は、電気掃除機本体に装着される集塵装置及びその集塵装置を備えた電気掃除機に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミをためる集塵ケースに、細塵を捕集するフィルターを有する蓋体が回動自在に取着されて、集塵ケースの蓋となる構造の集塵装置がある。その集塵装置は、蓋体の閉状態を解除する為の操作部及び蓋体の閉状態を保持／解除する押しレバーと、持ち運び用の把手部、蓋体の回動軸を集塵ケース上方に配置している（例えば、特許文献１参照）。
【特許文献１】特開２００４−８２９５号公報
【発明の開示】
【発明が解決しようとする課題】
【０００３】
しかしながら、上記のような電気掃除機の構成では、蓋体が閉状態の時、蓋体下端は集塵ケースと機械的に保持固定されていない為、集塵ケースにゴミが入った状態で、集塵装置を電気掃除機本体から取り出した後、誤って集塵装置を落とす等の不用意な衝撃が加わった場合、蓋体がたわみ、集塵ケースと蓋体の間に隙間が生じてゴミがこぼれてしまうなどの課題があった。
【０００４】
本発明は上記課題を解決するもので、不用意な衝撃が加わっても集塵装置の閉状態を確実に保持し、清潔性を保つことができる集塵装置及びその集塵装置を備えた電気掃除機を提供することを目的とする。
【課題を解決するための手段】
【０００５】
上記従来の課題を解決するために、本発明の集塵装置は、前方に吸入口、後方に開口部を有した集塵ケースと、前記集塵ケース上方に回動自在に取着され、前記開口部を開閉自在に覆うフィルター部と、前記フィルター部に設けた被係止部と、前記集塵ケースに設け、前記被係止部と勘合して前記フィルター部の閉状態を保持固定する係止部と、前記係止部と前記被係止部の嵌合を解除する操作部を備えた集塵装置において、前記係止部は、前記集塵ケースの左右両側面の下方に、前記操作部の動作に連動してフィルター部の開方向に対し略垂直方向に摺動するように設けると共に、前記フィルター部の開方向における前記係止部の位置を規制する位置規制部を前記係止部の上下に一体的に形成したもので、フィルター部が閉状態時、フィルター部の上部は回動軸部で、下部はフィルター部の開方向に位置規制された係止部で集塵ケースに機械的に保持固定されているので、不用意な衝撃が加わっても集塵装置の閉状態を確実に保持し、清潔性を保つことができる集塵装置及びその集塵装置を備えた電気掃除機を提供できる。
【発明の効果】
【０００６】
本発明によれば、不用意な衝撃が加わっても集塵装置の閉状態を確実に保持し、清潔性を保つことができる集塵装置及びその集塵装置を備えた電気掃除機を提供することができる。
【発明を実施するための最良の形態】
【０００７】
第１の発明は、前方に吸入口、後方に開口部を有した集塵ケースと、前記集塵ケース上方に回動自在に取着され、前記開口部を開閉自在に覆うフィルター部と、前記フィルター部に設けた被係止部と、前記集塵ケースに設け、前記被係止部と勘合して前記フィルター部の閉状態を保持固定する係止部と、前記係止部と前記被係止部の嵌合を解除する操作部を備えた集塵装置において、前記係止部は、前記集塵ケースの左右両側面の下方に、前記操作部の動作に連動してフィルター部の開方向に対し略垂直方向に摺動するように設けると共に、前記フィルター部の開方向における前記係止部の位置を規制する位置規制部を前記係止部の上下に一体的に形成したもので、フィルター部が閉状態時、フィルター部の上部は回動軸部で、下部はフィルター部の開方向に位置規制された係止部で集塵ケースに機械的に保持固定されているので、不用意な衝撃が加わっても集塵装置の閉状態を確実に保持し、清潔性を保つことができる。
【０００８】
第２の発明は、特に第１の発明の上側の位置規制部は操作部の動作を係止部に伝達するアーム部により位置規制され、下側の位置規制部は集塵ケースにより位置規制される構成としたもので、フィルター部が閉状態時、フィルター部の上部は回動軸部で、下部はフィルター部の開方向に位置規制された係止部で集塵ケースに機械的に保持固定されているので、不用意な衝撃が加わっても集塵装置の閉状態を確実に保持し、清潔性を保つことができる。
【０００９】
第３の発明は、特に第１または第２の発明の係止部を集塵ケースより飛び出さない位置に設けたもので、ゴミ捨て時のフィルター部の開状態にて、集塵ケースをゴミ箱等に叩きつけても係止部に直接衝撃が加わらないので、係止部の破損を防止できる。
【００１０】
第４の発明は、第１〜３のいずれか１つの発明の係止部を左右対称形状で形成したもので、集塵ケースの左右どちらへでも組み立てることができ、類似形状の部品がないので、組み立て性を向上できる。
【００１１】
第５の発明は、第１〜４のいずれか１つの発明の集塵装置を備えた電気掃除機としたもので、不用意な衝撃が加わっても集塵装置の閉状態を確実に保持し、清潔性を保つことができる電気掃除機を提供することができる。
【００１２】
以下、本発明の実施の形態について、図面を参照しながら説明する。なお、この実施の形態によってこの発明が限定されるものではない。
【００１３】
（実施の形態１）
本発明の第１の実施の形態における電気掃除機について、図１〜８を用いて説明する。
図１は、本実施の形態における電気掃除機の全体斜視図、図２（ａ）は、同掃除機本体に収納される集塵装置の斜視図（係止部ロックの状態）、図２（ｂ）は、同集塵装置の斜視図（係止部解除の状態）、図３（ａ）は同集塵装置の蓋部を外した状態斜視図、図３（ｂ）は同集塵装置の操作部品部断面図、図３（ｃ）は同集塵装置の蓋の係止部断面図、図４は同集塵装置の中央断面図（係止部ロックの状態）、図５（ａ）は同集塵装置の断面図（係止部解除の状態）、図５（ｂ）は同集塵装置の上流フィルター上部斜視図、図６（ａ）は同集塵装置の操作部品斜視図、図６（ｂ）は同集塵装置の上流フィルター斜視図、図６（ｃ）は同集塵装置の上流フィルターアーム部断面図（係止部ロックの状態）、図６（ｄ）は同集塵装置の上流フィルターアーム部断面図（係止部解除の状態）、図７（ａ）は同集塵装置の上流フィルター仮固定部断面図、図７（ｂ）は前記の仮固定部断面の拡大図、図８（ａ）は同集塵装置のごみ捨て時の状態での斜視図、図８（ｂ）は同集塵装置の下流フィルターお手入れ状態の斜視図を示す。
【００１４】
本実施の形態における電気掃除機は、掃除機本体１と、掃除機本体１の前方に設けたパイプ接続部１’に接続されるホース２と、ホース２の先端に設けられた接続パイプ３と、接続パイプ３に接続される延長管４と、延長管４の先端に設けられ塵埃を吸引する吸引口（図示せず）を有する吸込具５からなり、掃除機本体１には、塵埃を吸引するための電動送風機６、塵埃を集塵する集塵装置７が内蔵されている。
【００１５】
図２に示す集塵装置７は、構成部品を大きく分けると、前方にホース接続部１’に連通する吸引口８ｅ、後方に開口部８ｇを有し、外郭を構成する集塵ケース８と、集塵ケース８の開口部８ｇを塞ぐように設けられたフィルター部１７からなり、フィルター部１７は、上流フィルター９とその後方を塞ぐように設けられた下流フィルター１０から構成される。上流フィルター９及び下流フィルター１０は集塵ケース８上方に設けられた２箇所のヒンジ固定部８ａに開閉（回動）可能に取り付けられている。
【００１６】
また、図３に示すとおり、下流フィルター１０を保持する係止部１１は集塵ケース８の両側の側面部下方に配置され、下流フィルター１０の下方両側に設けた被係止部１０ａと嵌合することによって集塵ケース８に保持される。係止部１１の解除操作を行う略Ｕ字型形状の操作部品１２は吸引風の流路となる集塵部８ｂ及び上流フィルター９と下流フィルター１０の外側に構成され、操作部品１２のアーム部１２ａ及び係止部１１は集塵ケース８の両サイドに設けられ二重壁８ｃにより隔離された構成としている。集塵ケース８上方中央部には取り出し／持ち運び用のもち手８ｄを設け、近傍に、係止部１１の解除操作を行う操作部１２ｂを配置する構成となっている。操作部品１２の操作部１２ｂ以外の外観になる箇所は、集塵ケース８の外観形状に対して、係止部１１のかかり代と同等以上の段差を設け凹とする構成となっている。
【００１７】
係止部１１は、上側及び下側に下流フィルター１０開方向における係止部１１の位置を規制する位置規制部１１ａをそれぞれ一体的に形成しており、上側の位置規制部１１ａはアーム部１２ａ内部に位置し、その内壁に接している（図３（ｃ）のＡ部）。一方、係止部１１下側の位置規制部１１ａは、集塵ケース８の係止部１１下方に形成した略Ｔ字状の挿入部８ｅに挿入されており、挿入部８ｅの下流フィルター１０側端面に接している（図３（ｃ）のＢ部）。また、係止部１１は集塵ケース８外郭と二重壁８ｃで囲まれた位置で、集塵ケース８内部に形状全てが収納されている。さらに、係止部１１は左右対称形状で形成されており、集塵ケース８の左右に係止部１１を各１ヶ備えている。
【００１８】
また、係止部１１と挿入部８ｅ近傍の間に、係止部１１を上方に付勢する係止ばね１６を設け、係止部１１と被係止部１０ａの嵌合を保持している。
【００１９】
図４に示すように上流フィルター９は、枠体９ａとその枠体９ａと一体的に成形されたネットフィルター９ｂとから構成され、粗い塵埃を捕集する為に用いられる。枠体９ａは、集塵ケース８側と下流フィルター１０側の全周に、シール手段であるシールパッキン９ｃが設けられ、上流フィルター９及び下流フィルター１０を閉じたとき、集塵ケース８及び下流フィルター１０のそれぞれと密封することができる。集塵ケース８及び下流フィルター１０のそれぞれと全周シールする箇所は集塵ケース８内に設けられており、側面部は集塵ケース二重壁８ｃの内側に配置されている。そして、前記の通り、集塵ケース８の両側の側面部下方に配置された係止部１１と下流フィルター１０の下方両側に設けた被係止部１０ａを嵌合させることによって、集塵装置７を密閉する構成となっている。
【００２０】
下流フィルター１０は、上流フィルター９を通過した細かい塵埃を捕集する細塵用フィルターであり、プリーツ加工（断面形状を波状に加工すること。）しており、プリーツ加工された波状の山と谷の折り目の方向はフィルター全体で上下方向に揃えてある。下流フィルター１０の後側にはジョジンレバー１３がホルダー１４と下流フィルター１０とで挟むことで保持されており、手動もしくは外部の動力源によりジョジンレバー１３は左右に動くことができ、下流フィルター１０のレール部１０ｂをはじくことで、下流フィルター１０に付着した細塵を落とす構成となっている。また下流フィルター１０の後側には、シール手段であるシールパッキン１０ｃが設けられ、集塵装置７が掃除機本体１に収納されたとき、電気掃除機内で集塵装置７を密閉する構成となっている。
【００２１】
また、本実施の形態の集塵装置７には集塵ケース８の蓋部となる上流フィルター９及び下流フィルター１０を開放の開方向に付勢する付勢手段が設けられている。図４及び５に示すとおり、下流フィルター１０を開方向に付勢する付勢手段として、上流フィルター９上部のバネ収納部９ｄにバネ１５、また下流フィルター１０側にバネ１５を押さえるリブ１０ｄが配置されている。前記のバネ収納部９ｃは下流フィルター１０方向側に縦方向のスリット９ｄが設けられており、蓋が閉状態では、そのスリット９ｅの内側に前記のリブ１０ｄが挿入され、常にバネ１５を押さえる構造となっている。図６に示すとおり、上流フィルター９を開方向に付勢する付勢手段として、操作部１２ｂの下部に傾斜面を設けた２箇所の当接部１２ｃが、上流フィルター９の集塵ケース８上部に取着しているヒンジ部９ｆの上方かつ回動軸近傍に配置されている。前記のヒンジ部９ｆには前記の当接部１２ｃの傾斜面と略平行の傾斜面で形成した被当接部９ｈを一体的に形成している。蓋部が密閉状態（操作部を押さない状態）では、これらの当接部１２ｃの傾斜面と前記のヒンジ部９ｆ傾斜面の間は距離を設けており、前記の操作部品１２が下方に押されて、係止部１１が解除されるタイミングより後に、傾斜面同志が接触し、ヒンジ部９ｆに形成した被当接部９ｈを押さえる構成としている。
【００２２】
さらに、本実施の形態の集塵装置７には、下流フィルター１０開放時、上流フィルター９のみを集塵ケース８側に固定できる手段として、図６に示すとおり、操作部品１２及び上流フィルター９に爪嵌合する上流フィルター固定用係止部１２ｄ及び上流フィルター固定用被係止部９ｇが両側２箇所に設けられている。図７に示すとおり、前記の係止部１２ｄ及び被係止部９ｇ嵌合面は、傾斜面で形成されており、集塵装置７の下流フィルター１０のロック（前記係止部１１及び被係止部１０ａ）が解除されるタイミングより前に解除される設定としている。
【００２３】
以上のように構成された本実施の形態における電気掃除機の動作、作用について以下に説明する。
【００２４】
図２（ｂ）に示すように本実施の形態の集塵装置７はごみ捨て時に下側が開放する構造となっているが、そのごみ捨て時の動作を具体的に説明する。掃除機本体１に収納された集塵装置７はごみ捨て時に本体収納部（図示せず）から集塵ケース持ち手部８ｄを持って取り出される。取り出された集塵装置７は持ち手部８ｄ近傍の操作部１２ｂを押す事で、操作部品１２の両サイドのアーム部１２ａを介して、両側の係止部１１を下方に摺動させる。そして係止部１１が下方に摺動し、下流フィルター１０の下方に配した被係止部１０ａとの嵌合が解除され、下流フィルター１０が集塵ケース８上方に設けられた回動軸を中心に約１１０°開く。それに付随して上流フィルター９も開き、集塵ケース８の集塵部８ｂに蓄積されたゴミを捨てられるよう開放される。これにより、ごみ捨ての操作が片手で簡単に下向き開放にて行うことができ、蓋部閉状態での保持も上部の回動軸部と側面下方２箇所でロックされ、蓋部の閉状態における保持も確実に行う事ができる。また、開放方向を下向きにする事で、下流フィルター１０の下部にたまるジョジンレバー１３によりプリーツフィルターから除塵された細塵の処理がしやすくなる上に、お手入れ時のほこりの舞い上がりを抑えることができる。
【００２５】
さらに、下流フィルター１０が閉状態時、下流フィルター１０の開方向に不用意な衝撃等により力が加わった場合、被係止部１０ａを介して係止部１１が下流フィルター１０開方向に力が加わるが、係止部１１の上下に形成した位置規制部１１ａがアーム部１２ａ及び挿入部８ｅに接している為、係止部１１の位置はほとんど変わらず保持固定されているので、不用意な衝撃が加わっても集塵装置７の閉状態を確実に保持し、ゴミがこぼれることがなく清潔性を保つことができる。
【００２６】
また、係止部１１は集塵ケース８外郭と二重壁８ｃで囲まれた位置で、集塵ケース８内部に形状全てが収納されているので、ゴミ捨て時の下流フィルター１０開状態にて、集塵ケース８をゴミ箱等に叩きつけても係止部１１に直接衝撃が加わらないので、係止部１１の破損を防止できる。
【００２７】
係止部１１は左右対称形状で形成されている為、集塵ケース８の左右どちらへでも組み立てることができ、類似形状の部品がないので、組立性を向上させることができる。
【００２８】
次に、ごみ捨て時の上流フィルター９及び下流フィルター１０を開方向に付勢する付勢手段及び上流フィルター９の固定部の動作詳細についても説明する。取り出された集塵装置７の操作部品トータルのストロークは５ｍｍであり、約１ｍｍ押すことで、まず前記の上流フィルター９のみの固定部である上流フィルター固定用係止部１２ｄ及び上流フィルター固定用被係止部９ｇが解除される。さらに１〜１．５ｍｍ押さえることで、下流フィルター１０のロックである係止部１１と被係止部１０ａのロックが解除される。解除と同時に下流フィルター１０を開方向に付勢する付勢手段であるバネ１５により、下流フィルター１０が開方向に押し出される。また、このバネ１５は上流フィルター９と下流フィルター１０の間にあり、ごみ捨てを行う時、両フィルターが回動する間も、両フィルター間に常にすき間を設ける役割を果たし、下流フィルター１０に付着した細塵及びプリーツフィルターから除塵された細塵が落ちやすくなる。さらに操作部品１２を下方に押し下げると、図６に示すとおり、操作部１２ｂの下部に傾斜面を設けた２箇所の当接部１２ｃが上流フィルター９に形成した被当接部９ｈを押さえ、上流フィルター９を開方向に押し出す動作となっている。
【００２９】
また、当接部１２ｃは回動軸近傍に位置し、被当接部９ｈはヒンジ部９ｆに一体的に形成している為、ゴミ捨て時、当接部１２ｃが上流フィルター９に当接した後の動作量が少なくても上流フィルター９の回動角度が大きくなり、また、ヒンジ部９ｆは従来より強度が確保されているので、耐久性を確保できると共に、たわみ等の応力分散を抑制し当接部１２ｃの動作を効率的に上流フィルター９又は下流フィルター１０に伝達することができるので、少ないストロークで確実に上流フィルター９又は下流フィルター１０を大きく開かせることができて、ゴミの廃棄を容易に行え、使用性を向上させることができる。さらに、当接部１２ｃと被当接部９ｈを複数箇所設けている為、当接部１２ｃ及び被当接部９ｈに加わる応力を分散できるので、強度や耐久性を向上させることができる。操作部１２ｂの操作により上流フィルター９および下流フィルター１０の閉状態が解除された後、当接部１２ｃと被当接部９ｈが当接する構成としているので、スムーズに上流フィルター９及び下流フィルター１０が開き、ゴミ捨て性を向上させることができる。また、組立時には操作部１２ｂと当接部１２ｃを一体形成した操作部品１２を組み込むだけの為、ゴミ捨てのし易さは確保したままで、部品点数を削減でき、安価かつ組立性を向上させることができる。
【００３０】
また、ゴミ捨て時は図８（ａ）のような形態となり、上流フィルター９に配する粗い塵埃を捕集するネットフィルター９ｂのお手入れはこの状態で行う。また、下流フィルター１０の細かい塵埃を捕集するプリーツフィルター部のお手入れをする際に、上流フィルター９が下流フィルター１０の上に配したままでは、お手入れがしにくい（できない）ため、図８（ｂ）のとおり、上流フィルター９のみを集塵ケース８側に回動させ、前記上流フィルター固定用係止部１２ｄ及び上流フィルター固定用被係止部９ｇにて上流フィルター９を集塵ケース８側に固定させる。上流フィルター９は集塵ケース８側に爪勘合にて保持されることで、下流フィルター１０のお手入れがしやすくなる。
【産業上の利用可能性】
【００３１】
以上のように、本発明にかかる集塵装置は、ゴミ捨てのし易さは確保したままで、部品点数を削減でき、安価かつ組立性を向上させることができるので、着脱自在の集塵装置を有する家庭用、業務用電気掃除機に特に有用である。
【図面の簡単な説明】
【００３２】
【図１】本発明の実施の形態１における電気掃除機の全体斜視図
【図２】（ａ）本発明の実施の形態１における集塵装置の斜視図（係止部ロックの状態）（ｂ）同集塵装置の斜視図（係止部解除の状態）
【図３】（ａ）同集塵装置の蓋部を外した状態斜視図（ｂ）は同集塵装置の操作部品部断面図（ｃ）は同集塵装置の蓋の係止部断面図
【図４】同集塵装置の中央断面図（係止部ロックの状態）
【図５】（ａ）同集塵装置の断面図（係止部解除の状態）（ｂ）同集塵装置の上流フィルター上部斜視図
【図６】（ａ）同集塵装置の操作部品斜視図（ｂ）同集塵装置の上流フィルター斜視図（ｃ）同集塵装置の上流フィルターヒンジ部断面図（係止部ロックの状態、下流フィルターは図示せず）（ｄ）同集塵装置の上流フィルターヒンジ部断面図（係止部解除の状態下流フィルターは図示せず）
【図７】（ａ）同集塵装置の上流フィルター固定部断面図（係止部ロックの状態、下流フィルターは図示せず）（ｂ）仮固定部断面の拡大図
【図８】（ａ）同集塵装置のごみ捨て時の状態での斜視図（ｂ）同集塵装置の下流フィルターお手入れ時の斜視図
【符号の説明】
【００３３】
７      集塵装置
８      集塵ケース
８ｅ    挿入部
８ｇ    開口部
９      上流フィルター
１０    下流フィルター
１０ａ  被係止部
１１    係止部
１１ａ  位置規制部
１２ａ  アーム部
１２ｂ  操作部
１７    フィルター部
【図１】
2010035786.tif 000003
【図２】
2010035786.tif 000004
【図３】
2010035786.tif 000005
【図４】
2010035786.tif 000006
【図５】
2010035786.tif 000007
【図６】
2010035786.tif 000008
【図７】
2010035786.tif 000009
【図８】
2010035786.tif 000010